(57)【要約】      （修正有）【課題】シャッターの挿脱が容易で、かつ、特別な構成を設けることなく、挿脱口からコインが抜け落ちるのを防止することができる遊技媒体貸機を提供する。【解決手段】無底の貯留タンク３０と上方が開口した貯留ホッパー４１とが挿脱可能に設けられたシャッター６０を介して上下に設置され、前記貯留ホッパーの下部開口に臨んで設置された払出機構４２により前記貯留ホッパー内のメダルが送出されるメダル送出装置４０を備えた遊技媒体貸機１において、前記貯留タンク内のメダルと前記貯留ホッパー内のメダルとを離反させるために挿入される前記シャッターの進行を助けるメダル攪拌機構７０を前記貯留タンクと前記貯留ホッパー間近傍に配設したものである。【選択図】図２
2008086723.tif 000002
【特許請求の範囲】
【請求項１】
無底の貯留タンクと上方が開口した貯留ホッパーとが挿脱可能に設けられたシャッターを介して上下に設置され、前記貯留ホッパーの下部開口に臨んで設置された払出機構により前記貯留ホッパー内のメダルが送出されるメダル送出装置を備えた遊技媒体貸機において、
前記貯留タンク内のメダルと前記貯留ホッパー内のメダルとを離反させるために挿入される前記シャッターの進行を助けるメダル攪拌機構を前記貯留タンクと前記貯留ホッパー間近傍に配設したことを特徴とする遊技媒体貸機。
【請求項２】
前記シャッターの挿脱口の隙間をメダルの厚みより狭く形成するとともに、前記シャッターの板厚を前記挿脱口の隙間より薄くした
ことを特徴とする請求項１項記載の遊技媒体貸機
【請求項３】
前記メダル攪拌機構は、前記シャッターの挿入力により回転し、前記シャッターの先端近傍のメダルを攪拌する
ことを特徴とする請求項１項または２項記載の遊技媒体貸機。
【請求項４】
前記メダル攪拌機構は、水車形状をなし、前記貯留タンクと下方に連接する前記貯留ホッパーとの間の幅方向側部近傍に、回転軸を回転可能でかつ上下方向に移動可能に軸支したことを特徴とする請求項１項乃至３項のいずれかに記載の遊技媒体貸機。
【請求項５】
前記メダル攪拌機構は、水車形状の各回転翼の先端部に回転中心から放射状方向に進退可能な可動体を配設するとともに前記シャッターの上面に前記可動体と嵌合する嵌合凹部を形成したことを特徴とする請求項１項乃至４項のいずれかに記載の遊技媒体貸機。
【発明の詳細な説明】
【技術分野】
【０００１】  本発明は、貯留してあるメダル、コイン、トークンなど（以下、単にメダルと称する）を１枚ずつに分離しながら送出する機構を有するメダル送出装置を備えた遊技媒体貸機、特に、内部にメダルを多量に貯留することのできる遊技媒体貸機に関する。
【背景技術】
【０００２】  従来、メダル送出装置を備えた遊技媒体貸機は、メダル送出装置の貯留ホッパーにメダルを外部から補給して一時貯留しておき、遊技者の要求に応じてメダル送出装置の払出機構で１枚づつに分離しながら送出していた。しかしながら、近年のように、メダルの消費量が増加するにしたがって、貯留ホッパーへの補給が頻繁となり、補給に対応するための遊技店側の負担が大きくなるばかりか、補給が間に合わなくなり、遊技者に対して迷惑をかける場合があった。このため、メダルの貯留量を大きくするために、メダル送出装置の貯留ホッパーの上部に別の貯留タンクを設け、この貯留タンクと貯留ホッパーを連通させ、それらを合わせてメダルを貯留するタンクとした構成が開発されている。例えば、特許文献１である特開２００４−３５０８５４（コイン状部材送出装置）では、タンク（名称は、特許文献１に使用されているものを用いた）内にコインやメダルなどのコイン状部材が多量に残っていても、メダル送出手段が故障などしたときにはそれを簡単に取り出すことができるように、無底のタンクと上方が開口したホッパーとの間に仕切板を挿入する構成が開示されている。また、さらに、この特許文献１には、タンク内に貯留してあるコイン状部材が仕切板挿脱口から抜け落ちるのを防止する構成も開示されている。【０００３】  しかしながら、特許文献１に開示された構成では、無底のタンクと上方が開口したホッパーとの間に仕切板を挿入する際の配慮が為されていない。例えば、コインが無底のタンクと上方が開口したホッパーとの間に充満している場合には、仕切板の挿入方向に位置するコインが挿入の障害となったり、無底のタンク側に充満しているコインの重量が仕切板に加わって、仕切板の挿入に多大の力が必要で、場合によっては、その挿入が極めて困難となる場合があった。このため、仕切板を上下に振って周囲のメダルを移動させる必要が生じ、このために、挿脱口を仕切板の板厚より広く形成した。このために挿脱口がメダルの厚さより広くなる場合があった。そして、挿脱口からコインが抜けだしてしまうのでそれを防止するために、特許文献１に開示されているような、挿脱口を開口させる開閉手段を設けているが、この場合には、構成が複雑となり、コストアップの要因の一つとなっている。また、仕切板と挿脱口の隙間をメダルの厚さより狭くした場合には、仕切板の挿入の困難さが更に大きくなる傾向が現れる。【０００４】
【特許文献１】  特開２００４−３５０８５４（コイン状部材送出装置）公報
【発明の開示】
【発明が解決しようとする課題】
【０００５】    本発明は、無底の貯留タンクと上方が開口した貯留ホッパーとが挿脱可能に設けられたシャッターを介して上下に設置され、前記貯留ホッパーの下部開口に臨んで設置された払出機構により前記貯留ホッパー内のメダルが送出されるメダル送出装置を備えた遊技媒体貸機において、前記貯留タンク内のメダルと前記貯留ホッパー内のメダルとを離反させるために挿入される前記シャッターの進行を助けるメダル攪拌機構を前記貯留タンクと前記貯留ホッパー間近傍に配設することにより、シャッターの挿脱が容易で、かつ、特別な構成を設けることなく、挿脱口からコインが抜け落ちるのを防止することができる遊技媒体貸機を提供することを目的とする。
【課題を解決するための手段】
【０００６】  上記の課題を解決するために、本発明は、無底の貯留タンクと上方が開口した貯留ホッパーとが挿脱可能に設けられたシャッターを介して上下に設置され、前記貯留ホッパーの下部開口に臨んで設置された払出機構により前記貯留ホッパー内のメダルが送出されるメダル送出装置を備えた遊技媒体貸機において、前記貯留タンク内のメダルと前記貯留ホッパー内のメダルとを離反させるために挿入される前記シャッターの進行を助けるメダル攪拌機構を前記貯留タンクと前記貯留ホッパー間近傍に配設したものである。【０００７】  上記のように構成することにより、本発明は、無底の貯留タンクと上方が開口した貯留ホッパーとの間に挿脱可能に設けられるシャッターの挿脱が容易で、かつ、特別な構成を設けることなく、挿脱口からコインが抜け落ちるのを防止することができる。【０００８】  次の発明は、前記シャッターの挿脱口の隙間をメダルの厚みより狭く形成するとともに、前記シャッターの板厚を前記挿脱口の隙間より薄くしたものである。【０００９】  上記のように構成することにより、シャッター抜脱時において、メダルが挿脱口の隙間から抜け落ちるようなこともなく、かつ、シャッター抜脱時に、シャッターは、挿脱口をガイドとして、上下に振れることなくまっすぐに挿脱される。【００１０】  次の発明は、前記メダル攪拌機構は、前記シャッターの挿入力により回転し、前記シャッターの先端近傍のメダルを攪拌するものである。【００１１】  上記のように構成することにより、特に、メダル攪拌機構に攪拌用の動力源を設けることなく、シャッターの挿入力を利用して極めて簡単に貯留されているメダルを攪拌して、シャッターの挿入を容易にした。【００１２】  次の発明は、前記メダル攪拌機構は、水車形状をなし、前記貯留タンクと下方に連接する前記貯留ホッパーとの間の幅方向側部近傍に、回転軸を回転可能でかつ上下方向に移動可能に軸支したものである。【００１３】  上記のように構成することにより、メダル攪拌機構の羽の回転とともに全体が上下することにより、より広範囲の貯留メダルが攪拌され、更に、シャッターの挿入を容易にした。【００１４】  次の発明は、前記メダル攪拌機構は、水車形状の各回転翼の先端部に回転中心から放射状方向に進退可能な可動体を配設するとともに前記シャッターの上面に前記可動体と嵌合する嵌合凹部を形成したものである。【００１５】  上記のように構成することにより、メダル攪拌機構の羽の回転により、メダルを攪拌するとともに可動体の反動力によりシャッターを挿入方向に押し進める。
【発明の効果】
【００１６】  無底の貯留タンクと上方が開口した貯留ホッパーとが挿脱可能に設けられたシャッターを介して上下に設置され、前記貯留ホッパーの下部開口に臨んで設置された払出機構により前記貯留ホッパー内のメダルが送出されるメダル送出装置を備えた遊技媒体貸機において、前記貯留タンク内のメダルと前記貯留ホッパー内のメダルとを離反させるために挿入される前記シャッターの進行を助けるメダル攪拌機構を前記貯留タンクと前記貯留ホッパー間近傍に配設したことにより、シャッターの挿脱が容易で、かつ、特別な構成を設けることなく、挿脱口からコインが抜け落ちるのを防止することができる遊技媒体貸機を提供する。
【発明を実施するための最良の形態】
【００１７】    以下、本発明を実施するための最良の形態を、図面に基づいて説明する。図１は、本発明の遊技媒体貸機を示した正面図、図２は、本発明の遊技媒体貸機を示した側面図、図３は、遊技媒体貸機の要部斜視図、図４は、本発明の別の実施例を示した要部側面図、図５は、図４の要部拡大断面図である。【００１８】  本発明の遊技媒体貸機１は、図１ならびに図２に示すように、幅狭縦長矩形状の上部筐体１０ならびに下部筐体２０とを分割線Ｐ部分で分離可能なように組み立てて構成されている。そして、上部筐体１０には、無底の貯溜タンク３０と貯留ホッパー４１と払出機構４２を有するメダル送出装置４０が収納されており、下部筐体２０には、紙幣識別装置５０が収納されている。【００１９】  この上部筐体１０は、更に、無底の貯留タンク３０を形成している上側収容部１１とメダル送出装置４０を収納している下側収容部１２とに画成されている。そして、上側収容部１１の開口には、メダル供給口１３を備えた供給用フロントパネル１４が開口下部を中心として上下方向に開閉可能に枢支されている。また、下側収容部１２の開口には、払出用フロントパネル１５が着脱可能に取り付けられている。【００２０】  下部筐体２０の内部には、紙幣識別装置５０が配設され、開口には、識別装置収納部フロントパネル２１が開閉可能に取り付けられている。【００２１】  前述した無底の貯留タンク３０は、供給されたメダルが、メダル送出装置４０側に形成された枠体１１１を通過してメダル送出装置４０の貯留ホッパー４１に投入されるように上部筐体１０の上側収容部１１の内部に備え付けられている。一方、貯留タンク３０の上部には、メダル（図示しない）の貯留量を感知するセンサー３１が取り付けられ、メダル（図示しない）が一定量減少したことを感知し、補給を要求する。また、枠体１１１の供給用フロントパネル１４側には、緩衝プレート３２が取り付けられている。この緩衝プレート３２は、枠体１１１によって囲まれている通過孔１１２の供給用フロントパネル１４側の略１／３を覆うように延設されている。また、４１２は、攪拌棒であって、貯留ホッパー４１内に貯留されたメダル（図示しない）を適当に攪拌し、目詰まりを起こすのを防止している。【００２２】  また、メダル送出装置４０は、下側収容部１２に収納されていて、上側収容部１１側（上部）に設けられた仕切枠１２１側に面した貯留ホッパー４１と、該貯留ホッパー４１を載置した払出機構４２とで構成されている。また、この下側収容部１２の奥には、該払出機構４２の制御基盤４３が配設されている。尚、下側収容部１２の下部に配設されている基盤は、払出用フロントパネル１５に設けられたメダル搬送装置（図示しない）の制御基板１５１である。【００２３】  ６０は、シャッターを示し、貯溜タンク３０内にメダルが多量に残っていても、メダル送出装置が故障したときなどにこのメダル送出装置を簡単に取り出すことができるように、無底の貯溜タンク３０と上方が開口したメダル送出装置４０の貯留ホッパー４１との間に形成された隙間Ｄに挿脱口Ｄ１から挿入されるものであり、先端がとがった板状を成している。【００２４】  このシャッター６０が挿入される隙間Ｄは、前述した枠体１１１と仕切枠１２１との間に画成されていて、供給用フロントパネル１４と払出用フロントパネル１５との間側に挿脱口Ｄ１を開口している。この挿脱口Ｄ１は、供給用フロントパネル１４を開けて、払出用フロントパネル１５を取外すことによって表面側に露出し、シャッター６０の挿入が可能となる。【００２５】  メダル攪拌機構７０は、図２ならびに図３に示すように、前述した無底の貯留タンク３０を配設した上側収容部１１のメダル送出装置４０側に形成された枠体１１１と、下側収容部１２に収納されたメダル送出装置４０の貯留ホッパー４１の上側収容部１１側（上部）に設けられた仕切枠１２１と、水車形状の攪拌機本体７１とで構成されている。そして、この攪拌機本体７１は、枠体１１１と仕切枠１２１に形成されたメダルの通過孔１１２ならびに１２２の幅方向に架設されている。実施例では、この攪拌機本体７１は、枠体１１１と仕切枠１２１の長手方向に間隔を空けて２本架設されている。即ち、一本は、緩衝プレート３２の下側から出た部分、他の一本は、先端部分に配設されている。【００２６】  攪拌機本体７１は、円筒形の回転体７２と該回転体７２に放射状に植設された回転翼７３と回転体７２の中心に形成された回転軸７４を備えている。そして、枠体１１１の側枠の傾斜板１１３に形成されている上下方向に長い楕円形の係止軸孔１１４に軸止されている。即ち、攪拌機本体７１は、枠体１１１に対して、回転可能に、かつ、スプリング７５によって、上下方向に移動可能に軸止されている。【００２７】  本発明の遊技媒体貸機１にメダル（図示しない）を補給する場合には、上部筐体１０の設けられている供給用フロントパネル１４を開いてメダル供給口１３から貯溜タンク３０にメダル（図示しない）を投入する。投入されたメダル（図示しない）は、貯溜タンク３０が無底のため、枠体１１１に形成された通過孔１１２と仕切枠１２１に形成された通過孔１２２を通過してメダル送出装置４０の貯留ホッパー４１に落下する。このとき、メダル（図示しない）の一部は、通過孔１１２の一部を覆っている緩衝プレート３２の上に落下し、払出機構４２の回転部分（図示しない）に重積するのを防止している。そして、緩衝プレート３２の上に落下したメダル（図示しない）ならびにその他のメダル（図示しない）は、メダル攪拌機構７０の攪拌機本体７１を回転させながら貯留ホッパー４１に拡散して落下する。このため、メダルが払出機構４２の回転部分に重積しないので、払出機構４２によってより効率的に払い出される。貯留ホッパー４１に落下したメダル（図示しない）は、次第に重積され、枠体１１１に形成された通過孔１１２と仕切枠１２１に形成された通過孔１２２を越えて貯溜タンク３０に至る。尚、供給用フロントパネル１４は、メダルの供給が完了すると直ちに閉じられロック１４１で施錠される。【００２８】  ここで、メダル送出装置４０などに不具合が生じて、下側収容部１２からメダル送出装置４０を取り出す必要に迫られたときには、シャッター６０を挿脱口Ｄ１から隙間Ｄの間に挿入する。挿入されたシャッター６０は、緩衝プレート３２の下側を通過する間は、メダル（図示しない）にその挿入をほとんど阻害されることなくスムースに���行する。そして、シャッター６０の先端が緩衝プレート３２の下側から先に進行すると、シャッター６０の先端が攪拌機本体７１の回転翼７３の側面に当接し、回転軸７４を中心として攪拌機本体７１を回転させる。この回転により回転翼７３近傍のメダル（図示しない）が移動し、シャッター６０の進行が容易になる。さらに、攪拌機本体７１が回転して次の回転翼７３がシャッター６０の上面の達すると、回転軸７４がスプリング７５に抗して上方（図３矢印ａ）に移動する。この移動により攪拌機本体７１の周囲に重積されているメダル（図示しない）が崩れ、更に、シャッター６０の進行が容易になる。【００２９】  図４、図５は、本発明の別の実施例を示したもので、前述の実施例とは、メダル攪拌機構が相違するのみで、他の構成は、前述の実施例と同一のため説明は省略する。この実施例におけるメダル攪拌機構８０は、攪拌機本体８１とシャッター８９とで構成されている。【００３０】  攪拌機本体８１は、円筒形の回転体８２と、該回転体８２から放射状に植設された回転翼８３と、回転体８２の中心に形成された回転軸８２１を備えている。この回転翼８３には、可動体である砲弾型の突起８４とその突起８４を付勢するスプリング８５を収納する収納部８６が形成されている。この収納部８６には、両端を閉じた溝８７が刻設され、この溝８７に前述の突起８４に突設された係合突起８４１が嵌合して突起８４が収納部８６から飛び出さないように構成されている。そして、突起８４の先端は、回転翼８３の先端より若干突出するように収納部８６内に収納されている。【００３１】シャッター８９の表面には、複数の嵌合凹部８８が形成されている。この嵌合凹部８８は、前述の可動体（砲弾型の突起８４とその突起８４を付勢するスプリング８５）に対応するように形成されている。【００３２】  尚、可動体（砲弾型の突起８４とその突起８４を付勢するスプリング８５）は、回転翼８３の幅方向両端近傍に設けてあるが、中央に一ヶ所設けることや、突起８４に替えて、断面レール状の板を回転翼８３の幅方向に設けてそれをスプリングなどで付勢してもよい。当然、シャッター８９には、図示しないが、それらの形状に対応した受部（嵌合凹部８８に相当するもの）が形成される。【００３３】  ここで、先の実施例同様、メダル送出装置４０などに不具合が生じて、下側収容部１２からメダル送出装置４０を取り出す必要に迫られたときには、シャッター８９を挿脱口Ｄ１から隙間Ｄの間に挿入する。挿入されたシャッター８９は、緩衝プレート３２の下側を通過する間は、メダル（図示しない）にその挿入をほとんど阻害されることなくスムースに進行する。そして、シャッター８９の先端が緩衝プレート３２の下側から先に進行すると、シャッター８９の先端が攪拌機本体８１の回転翼８３の先端部分に当接し、回転軸８２１を中心として攪拌機本体８１を回転させる。この回転により回転翼８３近傍のメダル（図示しない）が移動し、シャッター８９の進行が容易になる。この時、シャッター８９の先端が当接した回転翼８３は、一定範囲回転した後に凸起８４がシャッター８９の表面に形成された嵌合凹部８８に嵌合して突起８４を収納部８６に押し込んだ状態となってシャッター８��が進行する。そして、シャッター８９がさらに進行すると突起８４がスプリング８５に押されたシャッター８９を進行方向に押出して、シャッター８９の進行を後押しする。
【図面の簡単な説明】
【００３４】
【図１】  本発明の遊技媒体貸機を示した正面図である。
【図２】  本発明の遊技媒体貸機を示した側面図である。
【図３】  遊技媒体貸機の要部斜視図である。
【図４】  本発明の別の実施例を示した要部側面図である。
【図５】  図４の要部拡大断面図である。
【符号の説明】
【００３５】  １  遊技媒体貸機
１０  上部筐体
１１  上側収容部
１１１  枠体
１１２  通過孔
１１３  傾斜板
１１４  係止軸孔
１２  下側収容部
１２１  仕切枠
１２２  通過孔
１３  メダル供給口
１４  供給用フロントパネル
１４１  ロック
１５  払出用フロントパネル
１５１  制御基板
２０  下部筐体
２１  識別装置収納部フロントパネル
３０  貯溜タンク
３１  センサー
３２  緩衝プレート
４０  メダル送出装置
４１  貯留ホッパー
４１１  開口
４１２  攪拌棒
４２  払出機構
４３  制御基盤
５０  紙幣識別装置
６０  シャッター
７０  メダル攪拌機構
７１  攪拌機本体
７２  回転体
７３  回転翼
７４  回転軸
７５  スプリング
８０  メダル攪拌機構
８１  攪拌機本体
８２  回転体
８２１  回転軸
８３  回転翼
８４  突起
８４１  係合突起
８５  スプリング
８６  収納部
８７  溝
８８  嵌合凹部
８９  シャッター
Ｄ  隙間
Ｄ１  挿脱口
Ｐ  分割線
【図１】
2008086723.tif 000003
【図２】
2008086723.tif 000004
【図３】
2008086723.tif 000005
【図４】
2008086723.tif 000006
【図５】
2008086723.tif 000007